(57)【要約】【課題】施工業者毎の配線接続の識別が容易となり、誤配線の防止のための施工業者の注意喚起力を向上する。【解決手段】チラー１０００は、外部からの電源配線１２１および信号配線１２２の接続端子群（図示しない）が集中して接続される端子台１１０を備えている。端子台１１０は、施工業者毎に集約され、接続端子群が接続される４つの接続部１３０Ａ、１３０Ｂ、１３０Ｃ、１３０Ｄと、識別要素とを有している。識別要素は、隣接する２つの接続部を施工業者に識別させるために設けられており、具体的には接続部毎に塗られた色（塗膜）である。接続部１３０Ａ、１３０Ｃの色は青色であり、接続部１３０Ｂ、１３０Ｄの色は白色である。【選択図】図５
2014147220.tif 000002
【特許請求の範囲】
【請求項１】
外部からの配線の接続端子群が集中して接続される端子台を備える定置機器において、
端子台は、
施工業者毎に集約され、接続端子群が接続される複数の接続部と、
隣接する２つの接続部を施工業者に識別させるための識別要素と
を有している、ことを特徴とする定置機器。
【請求項２】
請求項１に記載の定置機器において、
定置機器の内部に設けられた制御ボックスを備えており、
電源配線が制御ボックスの内側に通され、信号配線が制御ボックスの外側に通されている、定置機器。
【請求項３】
請求項１または２に記載の定置機器において、
外装用のケーシングと、
ケーシングの内部に配線を導入するための入線部と、
入線部から端子台に至る配線の経路に面する部分に配置されると共に、ケーシングに脱着可能に取り付けられている配線板と
を備える、定置機器。
【発明の詳細な説明】
【技術分野】
【０００１】
本発明は、外部からの配線の接続端子群が集中して接続される端子台を備える定置機器に関する。
【背景技術】
【０００２】
特許第３４０９２５２号公報（特許文献１）は、自動車において、部位(ドア、フロアなど)毎に電気配線（ハーネス）を集約する構成を開示している。
【先行技術文献】
【特許文献】
【０００３】
【特許文献１】特許第３４０９２５２号公報
【発明の概要】
【発明が解決しようとする課題】
【０００４】
ここで、例えばヒートポンプ式チラーのように利用場所に定置する定置機器においては、配線口の集約などのために、外部からの配線の接続端子群が端子台に集中する。一方、定置機器に対して電気配線工事を行う場合、空調工事、水回り工事などで施工業者が異なり、それぞれの施工業者が自らの担当の電気配線工事を別々に行う。この場合、誤配線を防止するために、施工業者毎に接続端子群の接続先を集約すると共に区別することが望ましい。
【０００５】
しかし、特許文献１は、上記従来の端子台において、施工業者毎に接続先を集約して区別する構成を開示していない。
【０００６】
そこで、本発明は、施工業者毎の配線接続の識別が容易となり、誤配線の防止のための施工業者の注意喚起力を向上できる定置機器を提示する。
【課題を解決するための手段】
【０００７】
本発明に係る定置機器は、外部からの配線の接続端子群が集中して接続される端子台を備える定置機器において、端子台は、施工業者毎に集約され、接続端子群が接続される複数の接続部と、隣接する２つの接続部を施工業者に識別させるための識別要素とを有している、ことを特徴とする。
【０００８】
前記定置機器において、定置機器の内部に設けられた制御ボックスを備えており、電源配線が制御ボックスの内側に通され、信号配線が制御ボックスの外側に通されている。
【０００９】
前記定置機器において、外装用のケーシングと、ケーシングの内部に配線を導入するための入線部と、入線部から端子台に至る配線の経路に面する部分に配置されると共に、ケーシングに脱着可能に取り付けられている配線板とを備えている。
【発明の効果】
【００１０】
本発明に係る定置機器は、施工業者毎の配線接続の識別が容易となり、誤配線の防止のための施工業者の注意喚起力を向上できる。
【図面の簡単な説明】
【００１１】
【図１】本実施形態に係るチラーの構成図である。
【図２】チラーの外観正面図である。
【図３】配線板を取り外したときのチラーの下部ケーシングの外観斜視図である。
【図４】ケーシングおよび配線板を取り外したときのＷ／Ｒ熱交換器の近傍の斜視図である。
【図５】端子台の斜視図である。
【発明を実施するための形態】
【００１２】
図１は、本実施形態に係る定置機器の一例としてのチラー１０００の構成図である。チラー１０００は、ヒートポンプの冷媒と水との間で熱交換を行うように構成されている。チラー１０００は、ヒートポンプを構成する部品（ヒートポンプ部品）１−１２を備えており、ヒートポンプの冷媒と水との間で熱交換を行うように構成されている。ヒートポンプは、ヒートポンプユニット１００と、Ｗ／Ｒ熱交換器（水−冷媒熱交換器）９とからなっている。
【００１３】
ヒートポンプは、２つの圧縮機１、オイルセパレータ２、四方弁３、２つのＡ／Ｒ熱交換器（空気−冷媒熱交換器）４、ブリッジ回路５、レシーバ６、３つの主膨張弁７、２つの補助膨張弁８、Ｗ／Ｒ熱交換器（水−冷媒熱交換器）９、補助蒸発器１０、アキュームレータ１１、及び冷媒経路１２を備えている。冷媒経路１２は、これらの機器１−１１を接続している。圧縮機１は冷媒を冷媒経路１２に沿って流す。オイルセパレータ２は、圧縮機１から吐出される冷媒からオイルを分離する。四方弁３は、加熱運転又は冷却運転が実行されるように、冷媒経路１２における冷媒の流れ方向を切り替える。Ａ／Ｒ熱交換器４は、冷却運転又は加熱運転の実行に応じて凝縮器又は蒸発器として機能し、外気と冷媒との間で熱交換を行う。ブリッジ回路５は、加熱運転及び冷却運転のどちらが実行されていても、補助蒸発器１０が蒸発器として機能するように冷媒の流れを誘導する。レシーバ６は、余剰の冷媒を必要に応じて蓄える。主膨張弁７は、Ａ／Ｒ熱交換器４とＷ／Ｒ熱交換器９との間を流れる冷媒を膨張させる。補助膨張弁８は、Ａ／Ｒ熱交換器４又はＷ／Ｒ熱交換器９と補助蒸発器１０との間を流れる冷媒を膨張させる。Ｗ／Ｒ熱交換器９は、冷却運転又は加熱運転の実行に応じて蒸発器又は凝縮器として機能し、水と冷媒との間で熱交換を行う。Ｗ／Ｒ熱交換器９には、冷媒経路１２及び水経路２０が並列に配置されている。補助蒸発器１０は、発熱源からの高温熱媒体と冷媒との間で熱交換を行う。本実施形態では、発熱源は圧縮機１を駆動するエンジンであり、高温熱媒体はエンジン排熱を運ぶエンジン冷却水である。補助蒸発器１０には、冷媒経路１２及び冷却水経路３０が並列に配置されている。アキュームレータ１１は、冷媒を一時的に蓄え、冷媒の脈動を抑制する。
【００１４】
ヒートポンプユニット１００は、２つのサービスポート１３、１４を備えている。サービスポート１３、１４は、冷媒経路１２に開口するポートであり、冷媒を補給する又は冷媒を排出するために用いられる。サービスポート１３は、Ａ／Ｒ熱交換器４とブリッジ回路５の間に配置されている。サービスポート１４は、Ｗ／Ｒ熱交換器９とブリッジ回路５の間に配置されている。
【００１５】
冷却運転及び加熱運転を説明する。四方弁３は、冷却位置及び加熱位置のいずれか一方に切り替えられるように構成されている。四方弁３が冷却位置にあるとき、Ｗ／Ｒ熱交換器９を流れる水を冷却する冷却運転が実行される。四方弁３が加熱位置にあるとき、Ｗ／Ｒ熱交換器９を流れる水を加熱する加熱運転が実行される。
【００１６】
冷却運転では、冷媒は圧縮機１から、オイルセパレータ２、四方弁３、Ａ／Ｒ熱交換器４、ブリッジ回路５、レシーバ６、主膨張弁７、ブリッジ回路５、Ｗ／Ｒ熱交換器９、四方弁３、及びアキュームレータ１１を経由して流され、圧縮機１に戻る。冷却運転では、エンジン排熱を利用しないので、主膨張弁８は閉じられており、冷媒は補助蒸発器１０を流れない。
【００１７】
加熱運転では、冷媒は圧縮機１から、オイルセパレータ２、四方弁３、Ｗ／Ｒ熱交換器９、ブリッジ回路５、レシーバ６、主膨張弁７、ブリッジ回路５、Ａ／Ｒ熱交換器４、四方弁３、及びアキュームレータ１１を経由して流され、圧縮機１に戻る。加熱運転では、冷媒を加熱する熱源としてエンジン排熱が利用される場合がある。この場合、冷補助膨張弁８が開かれる。冷補助膨張弁８が開かれているとき、冷媒は更に、レシーバ６から補助膨張弁８を流れるように分岐し、補助蒸発器１０を経由し、アキュームレータ１１で合流し、圧縮機１に戻る。
【００１８】
図２は、チラー１０００の外観正面図である。チラー１０００は、ヒートポンプの全体を収納する外装用のケーシング４０、及びアンカーレール４１を備えている。アンカーレール４１を基礎にボルト等の締結部材を用いて固定することにより、チラー１０００は定位置に固定される。ケーシング４０は、直方体形状を有しており、上部ケーシング５０及び下部ケーシング６０からなっている。上部ケーシング５０は、天井面を閉じる天板５１と、４つの側面を閉じる複数の上側板５２を備えている。下部ケーシング６０は、底面を閉じる底板６１と、４つの側面を閉じる複数の下側板６２を備えている。Ａ／Ｒ熱交換器４は上部ケーシング５０内に配置されている。Ｗ／Ｒ熱交換器９は下部ケーシング６０内に配置されている。Ｗ／Ｒ熱交換器９の水入口９１及び水出口９２は、ケーシング４０の外部に開口している。ここで、水入口９１及び水出口９２の開口側を、ケーシング４０の正面としている。
【００１９】
下部ケーシング６０には、Ｗ／Ｒ熱交換器９の近傍に、外部から下部ケーシング６０の内部に配線を導入するための６つの入線部７１が設けられている。また、下部ケーシング６０には、配線板６５が脱着可能に取り付けられている。この配線板６５は、逆Ｌ字形状を有している。
【００２０】
図３は、下部ケーシング６０から配線板６５が取り外されたときの、斜め前方から見た下部ケーシング６０の斜視図である。また、図４は、下部ケーシング６０および配線板６５が全て取り外されたときの、斜め前方から見たＷ／Ｒ熱交換器９の近傍の斜視図である。図３および図４において、下部ケーシング６０の内部であって、Ｗ／Ｒ熱交換器９の左側には、制御ボックス１０１が設けられている。また、下部ケーシング６０の内部であって、Ｗ／Ｒ熱交換器９の上側には、端子台１１０が配置されている。入線部７１は、端子台１１０の下方に位置している。制御ボックス１０１は、直方体形状を有しており、ケーシング４０の正面側に開口している。
【００２１】
入線部７１から下部ケーシング６０の内部に導入される配線１２０は、電源配線１２１および信号配線１２２を含んでいる。電源配線１２１は、制御ボックス１０１の内側に通される一方、信号配線１２２は、制御ボックス１０１の外側に通されて、端子台１１０に接続されている。
【００２２】
配線板６５は、入線部７１から端子台１１０に至る電源配線１２１および信号配線１２２の経路に面する部分に配置され、制御ボックス１０１の開口を覆うようになっている。配線板６５および制御ボックス１０１は、鋼板等の金属からなる導体であって、接地されている。配線板６５は、下部ケーシング６０に対してボルト（図示しない）で取り付けられる。
【００２３】
図５は、端子台１１０の外観斜視図である。端子台１１０は、複数のユニット１１１と、複数のユニット１１１を支持する支持部材１１２とを有している。ユニット１１１には、電源配線１２１及び／又は信号配線１２２の接続端子群が接続されている。また、端子台１１０は、４つの接続部１３０Ａ、１３０Ｂ、１３０Ｃ、１３０Ｄと、識別要素とを有している。
【００２４】
各接続部は、それぞれ１又は複数のユニット１１１を含んでいる。４つの接続部１３０Ａ、１３０Ｂ、１３０Ｃ、１３０Ｄの全体は、複数のユニット１１１を含んでいる。識別要素は、隣接する２つの接続部を施工業者に識別させるために設けられている。本実施形態では、識別要素は、接続部毎に塗られた色（塗膜）である。具体的には、接続部１３０Ａ、１３０Ｃの色は青色であり、接続部１３０Ｂ、１３０Ｄの色は白色である。同じ色が隣接していないので、隣り合う２つの接続部の色は、互いに異なっている。
【００２５】
配線工事のために、接続部１３０Ａ、１３０Ｃには、或る施工業者が割り当てられる一方、接続部１３０Ｂ、１３０Ｄには、別の施工業者が割り当てられる。つまり、接続部１３０Ａ、１３０Ｃには、或る施工業者が担当する接続端子群が接続されている。また、接続部１３０Ｂ、１３０Ｄには、別の施工業者が担当する接続端子群が接続されている。
【００２６】
本実施形態に係るチラー１０００は、上述の構成を有することにより、次の作用、効果を有している。
【００２７】
（１）チラー１０００は、外部からの電源配線１２１および信号配線１２２の接続端子群（図示しない）が集中して接続される端子台１１０を備えている。端子台１１０は、施工業者毎に集約され、接続端子群が接続される４つの接続部１３０Ａ、１３０Ｂ、１３０Ｃ、１３０Ｄを有している。接続部１３０Ａ、１３０Ｃの色は青色であり、接続部１３０Ｂ、１３０Ｄの色は白色である。
【００２８】
このため、本実施形態に係るチラー１０００は、施工業者毎の配線接続の識別が容易となり、誤配線の防止のための施工業者の注意喚起力を向上できる。
【００２９】
（２）チラー１０００は、チラー１０００の内部に設けられた制御ボックス１０１を備えており、電源配線１２１が制御ボックス１０１の内側に通され、信号配線１２２が制御ボックス１０１の外側に通されている。
【００３０】
制御ボックス１０１およびこの制御ボックス１０１を覆う配線板６５は、鋼板等の金属からなる導体であって、接地されている。このため、制御ボックス１０１の内側に通された電源配線１２１は、制御ボックス１０１および配線板６５で静電遮蔽される。したがって、チラー１０００は、電源配線１２１の周囲に発生する電磁波が信号配線１２２に影響して、信号が乱されるのを防止できる。
【００３１】
（３）チラー１０００は、ヒートポンプの全体を収納するケーシング４０と、ケーシング４０の内部に配線１２０を導入するための入線部７１と、入線部７１から端子台１１０に至る配線の経路に面する部分に配置されると共に、ケーシング４０に脱着可能に取り付けられている配線板６５とを備えている。
【００３２】
このため、本実施形態に係るチラー１０００は、配線板６５によって、配線に必要な配線の経路部分だけを簡単に開放することができる。したがって、施工業者は、容易に配線作業をすることができる。
【００３３】
なお、この発明は上述の実施形態に限定されない。例えば、識別要素は、接続部毎に塗られた色の代わりに、接続部毎に付されたマークであってもよい。また、識別要素は、接続部自体ではなく、接続部に対応する位置で支持部材１１２に設けられてもよい。
【００３４】
また、上述の実施形態では、端子台１１０は、４つの接続部１３０Ａ、１３０Ｂ、１３０Ｃ、１３０Ｄを有していたが、例えば、２つの接続部や５つの接続部など、複数の接続部を有していてもよい。
【００３５】
また、上述の実施形態では、接続部１３０Ａ、１３０Ｃには、或る施工業者が割り当てられる一方、接続部１３０Ｂ、１３０Ｄには、別の施工業者が割り当てられていたが、例えば、接続部毎に全て異なる施工業者が割り当てられていてもよい。
【００３６】
また、上述の実施形態では、接続部１３０Ａ、１３０Ｃは青色に、接続部１３０Ｂ、１３０Ｄは白色に塗られていたが、例えば、接続部毎に全て異なる色に塗られていてもよい。
【符号の説明】
【００３７】
４０  ケーシング
６０  下部ケーシング
６５  配線板
７１  入線部
１０１  制御ボックス
１１０  端子台
１１１  ユニット
１２０  配線
１２１  電源配線
１２２  信号配線
１３０Ａ、１３０Ｂ、１３０Ｃ、１３０Ｄ  接続部
１０００  チラー
【図１】
2014147220.tif 000003
【図２】
2014147220.tif 000004
【図３】
2014147220.tif 000005
【図４】
2014147220.tif 000006
【図５】
2014147220.tif 000007